(57)【要約】【課題】前方側から容易に目視できるように、遊技機情報を記載したラベルを貼付する構成としても、遊技領域を広く確保できるパチンコ遊技機を提供すること。【解決手段】パチンコ遊技機１は、遊技領域１７と遊技領域の周囲の非遊技領域１８とを有した遊技盤１２の前面１２ａ側に、製造番号４４ａ等の遊技機情報を記載したラベル４３が貼付される。ラベル４３は、少なくとも一部を、遊技領域１７に対して前後方向に沿った前方側で重なる位置に配置させて、配設されている。【選択図】図２
2011103935.tif 000002
【特許請求の範囲】
【請求項１】
遊技領域と該遊技領域の周囲の非遊技領域とを有した遊技盤の前面側に、遊技機情報を記載したラベルが貼付されるパチンコ遊技機であって、
前記ラベルが、前記遊技機の前方側から目視可能として、少なくとも一部を、前記遊技領域に対して前後方向に沿った前方側で重なる位置に配置させて、配設されていることを特徴とするパチンコ遊技機。
【請求項２】
前記ラベルの後方側に、前記遊技領域と前記非遊技領域とを区画するとともに、遊技球と摺接して前記遊技球を前記遊技領域内に留める区画壁面が配設され、
該区画壁面が、前記区画壁面と摺動する遊技球の少なくとも一部を、前記ラベルの配設エリアから露出させて、前方側から目視可能とする位置に、配設されていることを特徴とする請求項１に記載のパチンコ遊技機。
【請求項３】
前記ラベルの後面側に、前記遊技球との直接接触を防止する保護層が、配設されていることを特徴とする請求項１若しくは請求項２に記載のパチンコ遊技機。
【請求項４】
前面側に前記ラベルを貼付する貼付台部と、前記区画壁面と、を有したラベル組付体、を備え、
該ラベル組付体が、前記ラベルを前記貼付台部に貼付させた状態で、前記遊技盤に対して、取着可能に構成されていることを特徴とする請求項２に記載のパチンコ遊技機。
【発明の詳細な説明】
【技術分野】
【０００１】
本発明は、遊技領域と遊技領域の周囲の非遊技領域とを有した遊技盤の前面側に、製造番号等の遊技機情報を記載したラベルが貼付されるパチンコ遊技機に関する。
【背景技術】
【０００２】
従来、製造番号等の遊技機情報を記載したラベルは、非遊技領域に貼付されていた。このラベルは、遊技盤の前面枠の小窓から見えるように、遊技盤右下の非遊技領域に、貼付されたり、受け皿の下部ユニットの小窓から見えるように、遊技盤右下の非遊技領域に、貼付される場合があった（例えば、特許文献１，２参照）。さらに、正面から目視できるように、ガイドレールの右外側の非遊技領域に、貼付されたり、あるいは、ガラス枠の小窓から見えるように、遊技盤の左右の上隅や右下隅の非遊技領域に、ラベルが貼付されるものもあった（例えば、特許文献３，４参照）。
【先行技術文献】
【特許文献】
【０００３】
【特許文献１】特開２００９−２１９９３９号公報
【特許文献２】特開２００７−３１２８１５号公報
【特許文献３】特開２００５−３２９０２９号公報
【特許文献４】特開２００２−０８５７５７号公報
【発明の概要】
【発明が解決しようとする課題】
【０００４】
しかし、従来のパチンコ遊技機では、遊技領域の周囲の非遊技領域に、ラベルが貼付される構成であり、その貼付スペースの確保のために、逆に、遊技領域を狭めることになっていた。また、前面枠や下部ユニット等の小窓からラベルを見る構造では、小窓の開口位置自体が、ラベルから前方に離れており、ラベルの見易さの点で、課題があった。さらに、現在、液晶表示部が拡大される傾向にあって、一層、遊技領域を小さくしてしまう要因が発生していた。
【０００５】
そのため、前方側から容易に目視できるようにラベルを貼付する構成としても、遊技領域を広く確保できるパチンコ遊技機が要望されていた。
【０００６】
本発明は、上述の課題を解決するものであり、前方側から容易に目視できるように、遊技機情報を記載したラベルを貼付する構成としても、遊技領域を広く確保できるパチンコ遊技機を提供することを目的とする。
【課題を解決するための手段】
【０００７】
本発明に係るパチンコ遊技機は、遊技領域と遊技領域の周囲の非遊技領域とを有した遊技盤の前面側に、遊技機情報を記載したラベルが貼付されるパチンコ遊技機であって、
ラベルが、遊技機の前方側から目視可能として、少なくとも一部を、遊技領域に対して前後方向に沿った前方側で重なる位置に配置させて、配設されていることを特徴とする。
【０００８】
本発明に係るパチンコ遊技機では、ラベルが、少なくとも一部を、遊技領域の前方側に配置させており、遊技球の転動する遊技領域を狭めることなく、ラベルを配置できる。すなわち、遊技領域を狭めるような、遊技盤の非遊技領域側にラベルの貼付領域を広く確保しなくともよいことから、遊技領域の面積を狭めることなく、ラベルを配置できる。また、本発明に係るパチンコ遊技機では、遊技機のガラス扉のガラス等の透明材を介在させて、ラベルを遊技機の前方側から目視可能に構成されており、ラベルの一部が遊技領域側に配置されて、ラベルの残部が非遊技領域側に配置されても、その非遊技領域は、遊技領域に隣接して接近しており、ラベル全体を、前方側から容易に目視できる。
【０００９】
なお、ラベルとしては、製造番号や製造会社名等の遊技機情報を記載したもの、スペック（大当たり確率）等の遊技機情報を記載したもの、版権等の遊技機情報を記載したもの、賞球数等の遊技機情報を記載したもの等を、例示できる。
【００１０】
そして、本発明に係るパチンコ遊技機では、ラベルの後方側に、遊技領域と非遊技領域とを区画するとともに、遊技球と摺接して遊技球を遊技領域内に留める区画壁面を配設し、この区画壁面を、区画壁面と摺動する遊技球の少なくとも一部を、ラベルの配設エリアから露出させて、前方側から目視可能とする位置に、配設すれば、遊技球が、区画壁面に案内されて、全体をラベルに隠されることなく遊技領域を転動することができる。
【００１１】
また、本発明に係るパチンコ遊技機では、ラベルの後面側には、ラベルのめくれ、擦れ等の防止のために、通過スペースを通過する遊技球との直接接触を防止する保護層を、配設することが望ましい。
【００１２】
さらに、本発明に係るパチンコ遊技機では、前面側にラベルを貼付する貼付台部と、区画壁面と、を有したラベル組付体、を利用し、このラベル組付体の貼付台部に対して、ラベルを貼付した状態で、ラベル組付体ごと、遊技盤に対して、取着可能に構成することが望ましい。このような構成では、ラベル組付体に、予め、ラベルを貼付させておき、パチンコホールにおいて、ラベル以外の部位が完成しているパチンコ遊技機に対し、後付けとして、簡単に、ラベル組付体ごと、ラベルを取り付けることができる。そのため、例えば、工場から出荷したパチンコ遊技機が輸送中に故障しても、容易に、現場において、適正機種に対し、ラベル組付体ごと、対応するラベルを貼付（配設）することができる。勿論、ラベル組付体には、区画壁面が配設されており、遊技領域側と非遊技領域側とに跨る貼付領域にラベルを後付けで配設することとしても、遊技球は、区画壁面に案内されて、全体をラベルや貼付台部に隠されることなく遊技領域を通過することができる。
【発明の効果】
【００１３】
本発明に係るパチンコ遊技機では、前方側から容易に目視できるように、遊技機情報を記載したラベルを貼付する構成としても、遊技領域を広く確保することができる。
【図面の簡単な説明】
【００１４】
【図１】本発明に係る一実施形態のパチンコ遊技機の概略正面図である。
【図２】実施形態のパチンコ遊技機のラベル付近を示す概略部分拡大正面図である。
【図３】実施形態のパチンコ遊技機のラベル付近の概略縦断面図であり、図２のIII−III部位に対応する。
【図４】実施形態のパチンコ遊技機のラベル付近を示す概略部分分解斜視図である。
【発明を実施するための形態】
【００１５】
（実施形態）
以下、本発明の一実施形態を図面に基づいて説明すると、実施形態のパチンコ遊技機（以下、単に遊技機と略す）１は、図１に示すように、外枠（機枠）２に、遊技盤１２を設けた中枠（内枠）１１と、中枠１１の前面側に位置してガラス扉４を設けたガラス枠ユニット（前面扉ユニット）３と、を、開き可能に取り付けて構成されている。ガラス枠ユニット３には、下部側に、球受け部６を設けた皿ユニット部５が設けられている。皿ユニット部５には、遊技球を遊技盤１２の遊技領域１７に打ち出すために操作するハンドル７や皿球抜きボタン８、通路球抜きボタン９、演出ボタン１０が配設されている。
【００１６】
遊技盤１２は、外側レール１３や内側レール１４、あるいは、右縁側の区画壁面１５、に囲まれて遊技球が転動する遊技領域１７と、遊技領域１７の周囲の遊技球の転動しない非遊技領域１８と、を備えて構成されている。遊技領域１７の中央部には、センター装飾部材２０が配設され、センター装飾部材２０の内側に、画像表示器２１の表示画面２１ａが配設されている。
【００１７】
遊技領域１７のセンター装飾部材２０の周囲には、図示しない釘、風車２３、普通入賞口２４、賞球の無い入賞口（ゲート）２５、第１始動口２６、第２始動口（電動チューリップ）２７、大入賞口（アタッカー）２８、アウト口２９等の公知の部材が配設されて、ハンドル７を操作し、遊技球を外側レール１３と内側レール１４との間から遊技領域１７に打ち出せば、遊技球は、普通入賞口２４、ゲート２５、第１始動口２６、第２始動口２７、大入賞口２８、アウト口２９のいずれかに入球する。そして、遊技球が、普通入賞口２４、第１始動口２６、開放時の第２始動口２７や大入賞口２８に入賞すれば、所定数の遊技球を獲得でき、ゲート２５を通過すれば、抽選により第２始動口２７を所定時間若しくは所定回数開放させることとなる。また、遊技球が、第１始動口２６や開放時の第２始動口２７に入賞すれば、抽選により、大当たり、中当たり、小当たり等の当たりや外れが決定され、当たりとなれば、大入賞口２８を、その当たりに応じて開放時間、開放回数、入賞個数等を制限して、開放することとなる。これらの作動や遊技フローは、公知のものであり、遊技盤１２の背面側（後面側）に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプ３８やスピーカ３９等を作動させつつ、所定の演出を画像表示器２１に表示することとなる。
【００１８】
また、非遊技領域１８における遊技盤１２の右下隅には、図柄表示エリア３０が設けられている。図柄表示エリア３０には、図２に示すように、第１始動口２６への入賞を契機に画像表示器２１による装飾図柄の変動表示と同期して第１特別図柄を変動表示する第１特別図柄表示器３１、第２始動口２７への入賞を契機に画像表示器２１による装飾図柄の変動表示と同期して第２特別図柄を変動表示する第２特別図柄表示器３２、第１始動口２６へ入賞した遊技球Ｂの保留球数を最大４個まで表示する第１特別図柄保留ランプ３３、第２始動口２７へ入賞した遊技球Ｂの保留球数を最大４個まで表示する第２特別図柄保留ランプ３４、遊技球Ｂがゲート２５を通過したことを契機に普通図柄を変動表示する普通図柄表示器３５、ゲート２５を通過した遊技球Ｂの保留球数を最大４個まで表示する普通図柄保留ランプ３６、が配設されている。
【００１９】
そして、実施形態の遊技機１では、図１，２に示すように、遊技盤１２の図柄表示エリア３０の上方における遊技領域１７側と非遊技領域１８側とに跨るエリアを、ラベル４３を配設する貼付領域４１としている。さらに、この貼付領域４１のラベル４３は、遊技球Ｂの転動する遊技領域１７に対し、前後方向に沿った前方側で重なるように、配設されている。実施形態の場合、この貼付領域４１には、ラベル４３を貼付した状態で遊技盤１２に取着されたラベル組付体４８が、配設されている。
【００２０】
なお、実施形態の遊技機１では、ガラス扉４におけるガラス４ｂを保持した枠本体４ａが、貼付領域４１の前方側において、ガラス４ｂの露出エリアを広げるように、右方側に凹む凹部４ａａを備えている。そのため、実施形態の場合、凹部４ａａの開口を含めた凹部４ａａ付近をガラス扉４の透視部位４ｃとして、貼付領域４１のラベル４３は、透視部位４ｃのガラス４ｂを介在させて、遊技盤１２の前方側から目視されることとなる。
【００２１】
ラベル４３は、図２，４に示すように、正面側（前面側）に、製造番号４４ａ、組合証４５ａ、製造会社名４６ａ等の遊技機情報を記載して構成されている。そして、実施形態の場合、製造番号４４ａを記載した製造番号表示欄４４、製造会社名４６ａを記載した会社名表示欄４６、及び、日本遊技機工業組合の組合証４５ａを記載した組合証表示欄４５が、配設されている。実施形態の場合、このラベル４３は、組合証４５ａが記載されていることから、証紙とも言う。また、製造番号表示欄４４には、製造時期４４ｂも記載され、さらに、会社名表示欄４６には、適宜、新台か否かの記号も表示される。そして、製造番号表示欄４４と会社名表示欄４６とは、組合証表示欄４５を間にした両端に配設されている。この証紙としてのラベル４３では、少なくとも、製造番号４４ａが、遊技機１の一台ごとに相違することとなって、製造番号表示欄４４の記載が、最も、重要となる。なお、このラベル４３の記載内容としては、組合証４５ａがラベル４３毎に同じであることから、製造会社名４６ａを記載する会社名表示欄４６が、製造番号表示欄４４についで、ラベル４３毎の識別機能として、重要となる。
【００２２】
そして、このラベル４３は、裏面側に塗布された粘着剤により、貼付台部５０の前面の貼付面５１ａに貼付されている（図３参照）。さらに、実施形態の場合には、ラベル４３は、製造番号表示欄４４と会社名表示欄４６とを左右方向に沿って配置させるとともに、製造番号表示欄４４を、遊技領域１７内の左縁側に配置させるように、横向きに配設されている。
【００２３】
ラベル組付体（実施形態の場合、証紙組付体とも言える）４８は、図２〜４に示すように、ＡＢＳ樹脂、ポリアセタール、ポリカーボネイト、アクリル等の合成樹脂から形成されて、実施形態の場合、取着ベース部４９と貼付台部５０との二部品から構成されている。なお、実施形態の場合、取着ベース部４９と貼付台部５０とは、不透明な合成樹脂材料等から形成されている。
【００２４】
そして、取着ベース部４９は、若干前方へ突出しつつ遊技盤１２の前面１２ａと連なるような縦長の略長方形板状として、前面側に貼付台部５０の支持板部５２を当てて載せる載置面４９ａを備え、載置面４９ａの外周縁には、支持板部５２の外周を囲むように、リブ４９ｂが前方側に突設されている。また、取着ベース部４９の上下のリブ４９ｂ付近には、支持板部５２を取り付ける係止孔４９ｃ，４９ｄが、前後方向に貫通されている。
【００２５】
取着ベース部４９の背面側（後面側）には、取着手段４７としての棒状の取着片４７ａが、上下に離れて、後方側に突設されて配設されている。取着手段４７は、これらの取着片４７ａと、遊技盤１２に設けられて前後方向に貫通する取着孔４７ｃと、から構成されている。取着片４７ａには、取着孔４７ｃに嵌挿された際に、取着孔４７ｃの内周面に係止されて抜け止めを図る複数の円盤状の係止リップ部４７ｂが、配設されている。
【００２６】
貼付台部５０は、前面側をラベル４３の貼付用の貼付面５１ａとする縦長の略長方形板状の台本体部５１、取着ベース部４９に係止される支持板部５２、及び、台本体部５１と支持板部５２とを連結する連結部５３、を備えて構成されている。
【００２７】
台本体部５１は、ガラス扉４の透視部位４ｃの後方で、かつ、遊技球Ｂの通過スペースＳ（遊技領域１７）の前方側に配置されている。
【００２８】
支持板部５２は、前面５２ａを遊技球Ｂの通過スペースＳ（遊技領域１７）の後方側に配設させている。支持板部５２の後面側には、取着ベース部４９の上下の係止孔４９ｃ，４９ｄに挿入されて、取着ベース部４９に係止される係止脚５２ｂ，５２ｄが後方側に突設されている。係止脚５２ｂは、取着ベース部４９の上縁側の係止孔４９ｃに挿入されて、取着ベース部４９の後面側における係止孔４９ｃの周縁に係止される係止鉤５２ｃを備え、係止脚５２ｄは、取着ベース部４９の下縁側の係止孔４９ｄに挿入されて、取着ベース部４９の後面側における係止孔４９ｄの周縁に係止される係止鉤５２ｅを備えて構成されている。支持板部５２は、各係止脚５２ｂ，５２ｄを取着ベース部４９に係止させて、載置面４９ａに載せれば、リブ４９ｂに囲まれて、取着ベース部４９に対する上下左右へのずれ移動や外れを、規制されることとなる。また、支持板部５２が係止されて取着ベース部４９に組み付けられれば、リブ４９ｂの前端は、支持板部５２の前面５２ａと略面一となる。
【００２９】
連結部５３は、正面から見て略Ｊ字形に曲がる帯板状に形成され、遊技領域１７と非遊技領域１８とを区画するとともに、遊技球Ｂと摺接して遊技球Ｂを遊技領域１７内に留める区画壁面５３ａを、曲がった弧面の内周側に配設させて、構成されている。実施形態の場合、区画壁面５３ａは、遊技盤１２の右縁側における遊技領域１７と非遊技領域１８とを区画するように、外側レール１３の内周面に連なる区画壁面１５の一部を構成するもので、上端側から下方側にかけて、区画壁面１５のアウト口２９側の下部１５ａ側に連なるように、湾曲して形成されている。そして、実施形態の場合、区画壁面５３ａは、区画壁面５３ａと摺動する遊技球Ｂの少なくとも一部を、ラベル４３の配設エリア（貼付領域）４１の台本体部５１から露出させて、前方側から目視可能とする位置に、配設されている。詳しく述べれば、区画壁面５３ａを摺動する遊技球Ｂが、台本体部５１の左側の周縁における上縁５１ｂ若しくは左縁５１ｃから目視できるように、区画壁面５３ａの曲率、区画壁面５３ａにおける台本体部５１の上縁５１ｂや左縁５１ｃからの距離等が、設定されている。ちなみに、実施形態の場合、区画壁面５３ａを上方から摺動する遊技球Ｂが、区画壁面５３ａの上端付近では、台本体部５１の上縁５１ｂから露出し、上縁５１ｂの下方に隠れるように流下すれば、台本体部５１の左縁５１ｃから露出するように、区画壁面５３ａが設定されている。
【００３０】
そして、このラベル組付体４８では、まず、貼付台部５０における台本体部５１の貼付面５１ａにラベル４３を貼付させる。その後、支持板部５２の係止鉤５２ｅを係止孔４９ｄの下縁側の後面周縁に当てるように、係止脚５２ｄを係止孔４９ｄに挿入させ、さらに、支持板部５２の係止鉤５２ｃ側を撓ませつつ係止脚５２ｂを係止孔４９ｃに挿入させて、係止鉤５２ｃを係止孔４９ｃの上縁側の後面周縁に係止させつつ、支持板部５２を、取着ベース部４９の載置面４９ａに当てて、支持板部５２を取着ベース部４９に取り付ければ、ラベル組付体４８の組み付けが、完了することとなる。
【００３１】
その後、取着手段４７としての取着ベース部４９の各取着片４７ａを、遊技盤１２の取着孔４７ｃに挿入させて、取着孔４７ｃの内周面に取着片４７ａの係止リップ部４７ｂを撓ませて係止させれば、ラベル組付体４８が遊技盤１２に取着されて、ラベル４３を貼付領域４１に配置させることができる。
【００３２】
そして、実施形態の場合、遊技機１に貼付されたラベル４３は、組合証表示欄４５の左縁付近が区画壁面５３ａの前方側に配設されて、製造番号表示欄４４が、区画壁面５３ａの左方側の遊技領域１７側に、会社名表示欄４６が、区画壁面５３ａの右方側の非遊技領域１８側に、それぞれ、配設されている。
【００３３】
（実施形態の作用・効果）
（１）
以上のように、実施形態の遊技機１では、ラベル４３が、少なくとも一部の製造番号表示欄４４を、遊技領域１７の前方側に配置させており、遊技球Ｂの転動する遊技領域１７を狭めることなく、ラベル４３を配置できる。すなわち、遊技領域１７を狭めるような、遊技盤１２の非遊技領域１８側にラベル４３の貼付領域４１を広く確保しなくともよいことから、遊技領域１７の面積を狭めることなく、ラベル４３を配置できる。また、実施形態の遊技機１では、遊技機１のガラス扉４のガラス４ｂを介在させて、ラベル４３を遊技機１の前方側から目視可能に構成されており、ラベル４３の一部の製造番号表示欄４４側が遊技領域１７側に配置されて、ラベル４３の残部の会社名表示欄４６が非遊技領域１８側に配置されても、その非遊技領域１８は、遊技領域１７に隣接して接近しており、ラベル４３全体を、前方側から容易に目視できる。
【００３４】
したがって、実施形態の遊技機１では、前方側から容易に目視できるように、遊技機情報を記載したラベル４３を貼付する構成としても、遊技領域１７を広く確保することができる。
【００３５】
（２）
また、実施形態の遊技機１では、ラベル４３の後方側に、遊技領域１７と非遊技領域１８とを区画するとともに、遊技球Ｂと摺接して遊技球Ｂを遊技領域１７内に留める区画壁面５３ａが配設され、この区画壁面５３ａが、区画壁面５３ａと摺動する遊技球Ｂの少なくとも一部を、ラベル４３の配設エリアとなる貼付台部５０の台本体部５１から露出させて、前方側から目視可能とする位置に、配設されている。そのため、貼付領域４１付近の遊技球Ｂは、区画壁面５３ａに案内されて、全体をラベル４３や台本体部５１に隠されることなく遊技領域１７を転動することができる。
【００３６】
（３）
さらに、実施形態の遊技機１では、ラベル４３の後面側には、通過スペースＳを通過する遊技球Ｂとの直接接触を防止する保護層としての貼付台部５０の台本体部５１が、配設されており、ラベル４３のめくれや擦れ等の防止を図ることができる。
【００３７】
（４）
さらに、実施形態の遊技機１では、前面５１ａ側にラベル４３を貼付する貼付台部５０の台本体部５１と、区画壁面５３ａと、を有したラベル組付体４８、を利用し、このラベル組付体４８の台本体部５１に対して、ラベル４３を貼付した状態で、ラベル組付体４８ごと、遊技盤１２に対して、取着できるように構成されている。このような構成では、ラベル組付体４８に、予め、ラベル４３を貼付させておき、パチンコホールにおいて、ラベル４３以外の部位が完成している遊技機１に対し、後付けとして、簡単に、ラベル組付体４８ごと、ラベル４３を取り付けることができる。そのため、例えば、工場から出荷した遊技機１が輸送中に故障しても、容易に、現場において、適正機種に対し、ラベル組付体４８ごと、対応するラベル４３を貼付（配設）することができる。勿論、ラベル組付体４８には、区画壁面５３ａが配設されており、遊技領域１７側と非遊技領域１８側とに跨る貼付領域４１にラベル４３を後付けで配設することとしても、遊技球Ｂは、区画壁面５３ａに案内されて、全体をラベル４３や貼付台部５０に隠されることなく遊技領域１７を転動することができる。
【００３８】
（５）
また、実施形態のラベル組付体４８では、ラベル４３を貼付する貼付台部５０が、取着ベース部４９と別体として構成されており、ラベル４３を別の遊技機１に配設する際、ラベル４３だけを貼付台部５０から剥がすことなく、ラベル４３を貼付した貼付台部５０ごと、予め準備しておいた他の取着ベース部４９を備えて構成されたラベル組付体４８に対し、組み付けることができる。すなわち、上記のような構成では、ラベル４３を剥がす手間を無くして、奇麗な状態の取着ベース部４９を備えて構成されたラベル組付体４８に対して、簡単に、ラベル４３を組み付けることができる。
【００３９】
（変形例）
なお、実施形態では、ラベル４３を遊技領域１７側と非遊技領域１８側とに跨って配設させた場合を示したが、ラベル４３の全域を遊技領域１７側に配設させても良い。
【００４０】
また、ラベル４３を遊技領域１７側と非遊技領域１８側とに跨って配設させる場合、実施形態では、製造番号表示欄４４側を遊技領域１７側に配置させた場合を示したが、製造番号表示欄４４側を非遊技領域１８側に配置させるように、左右を逆転させたり、あるいは、実施形態のような横向きでなく、ラベル４３を、製造番号表示欄４４側を上側とした縦向きに、配設させても良い。
【００４１】
さらに、実施形態では、ラベル４３のめくれや擦れ等の防止のために、保護層としての台本体部５１を配設させた場合を示したが、めくれや擦れ等を防止できるように、ラベル４３が、貼付領域４１に位置するガラス４ｂ自体の後面に強固に貼付され、かつ、汚れ難く（擦れ難く）貼付されれば、保護層は不要となる。さらに、ラベル４３をガラス４ｂの後面に貼付して、ラベル４３の保護層を設ける際には、台本体部５１のような形状保持性を有した板状のものでなくとも、可撓性を有した透明なフィルム状のシート材、あるいは、塗布して配設するコーティング層から、保護層を構成し、ガラス４ｂの後面に貼付したラベル４３の後面側から、これらの保護層を配設しても良い。
【００４２】
さらに、実施形態のラベル組付体４８は、取着ベース部４９と貼付台部５０との二部品から構成したが、取着ベース部４９と貼付台部５０とは、一体的に製造された一体成形品から形成したり、あるいは、貼付台部５０を、相互に組付可能な別体の台本体部５１、支持板部５２、及び、連結部５３の三部品から構成して、取着ベース部４９と併せた四部品、あるいは、取着ベース部４９、台本体部５１、支持板部５２、及び、連結部５３の内、適宜、相互に一体的にした計二部品や三部品から、ラベル組付体４８を構成しても良い。
【００４３】
さらにまた、実施形態では、ラベル組付体４８を遊技盤１２に取着する取着手段４７として、係止リップ部４７ｂを備えた取着片４７ａを、遊技盤１２に設けた取着孔４７ｃに嵌合させる構造を例示した。しかし、ラベル組付体４８を遊技盤１２に取着させる取着手段は、係止リップ部４７ｂのようなばね弾性的に撓んで係止する撓み片や支持板部５２の係止脚５２ｂ等のような係止構造を利用する他、ラベル組付体４８と遊技盤１２とで相互に対応させて、ボルト・ナット止め構造、リベット止め構造等により、構成してもよい。
【符号の説明】
【００４４】
１…（遊技機）パチンコ遊技機、
４ｂ…（透明材）ガラス、
１２…遊技盤、
１７…遊技領域、
１８…非遊技領域、
４３…ラベル、
４４ａ…（遊技機情報）製造番号、
４６ａ…（遊技機情報）製造会社名、
４８…ラベル組付体、
５０…貼付台部、
５１…（保護層）台本体部、
５３ａ…区画壁面、
Ｂ…遊技球。
【図１】
2011103935.tif 000003
【図２】
2011103935.tif 000004
【図３】
2011103935.tif 000005
【図４】
2011103935.tif 000006